(57)【要約】 【課題】  コネクタハウジングの低背化を担保した上で、剛性が保持されるコネクタハウジングを提供することを目的とする。【解決手段】  雌ハウジング４０はコネクタ嵌合用のロックアーム６５を備えたカバー５０と、上段・下段ハウジング７０、９０とからなる。上段ハウジング７０には前後方向に細長い上段キャビティ７１が左右対称な２群に分かれて複数個並設されている。上段ハウジング７０の上面は、各上段キャビティ７１を外部に露出させるように開口するとともに、上段ハウジング７０の中央部であって、ロックアーム収容部６１と対面する位置には、ロックアーム収容部６１に対する干渉を回避するための撓み許容部８０が配されている。この撓み許容部８０においては剛性の低下が懸念されるが、そこには左右のキャビティ７１の側壁７１ｄ間同士を架設する補強片８１が設けられているから、当該部分における剛性の低下を回避することが出来る。【選択図】  図６
2005174817.tif 000002
【特許請求の範囲】
【請求項１】
内部に幅方向に併設された複数のキャビティを有するとともに各キャビティを外部に露出させるように一面が開放し、各キャビティに開放側の面より端子金具を収容可能なハウジング本体と、
前記開放側の面を閉止するように前記ハウジング本体に組み付け可能とされたカバー部とを備えたコネクタであって、
前記カバー部には、当該コネクタの嵌合相手となる相手側ハウジングに係止可能とされたロックアームが形成されるとともに、
前記ハウジング本体のうち前記ロックアームに対向する位置には、前記キャビティが形成される高さ範囲内に、前記ロックアームに対する撓み空間を有する撓み許容部が配されており、
更に、この撓み許容部における後端部であって前記ロックアームとの干渉を避けた位置には、補強片が設けられた構成であることを特徴とするコネクタ。
【請求項２】
前記補強片は前記撓み許容部の両側に位置するキャビティの壁面同士間を繋ぐ構成であることを特徴とする請求項１記載のコネクタ。
【請求項３】
前記補強片は前記ハウジング本体に対して係止することで前記ハウジング本体に対する前記カバー部の接離方向への遊動を規制可能な構成であることを特徴とする請求項１記載のコネクタ。
【請求項４】
ハウジング内部には端子金具を収容可能なキャビティが形成されるとともに、相手側ハウジングに設けられたフード部に対し、前記ハウジングの一部を後方に張り出させた状態で取り付けられるコネクタであって、
前記ハウジングの側面のうち前記フード部から後方へ突出した部分の外面には、同面に沿って当該突出部の後端側から前記フード部に向かって斜めに伸びる複数の補強壁が設けられるととに、これら各補強壁はその伸び方向が隣合う補強壁の端部同士を一致させるか、或いは途中で交差させる方向であることを特徴とするコネクタ。
【発明の詳細な説明】
【技術分野】
【０００１】
本発明は、コネクタに関する。
【背景技術】
【０００２】
従来より、コネクタハウジングを多極化してコネクタの低背化を図ったり（特許文献１）、或いはコネクタハウジングを平板状をなす複数のハウジングより分割構成したものものが知られている。（特許文献２）
【０００３】
特許文献１においてコネクタハウジングは内部に上下二段、幅方向には十数段のキャビティが形成されており、ハウジングは横長なブロック状に形成されている。特許文献２においてコネクタハウジングは第１のハウジング、第２のハウジング及びカバーとから分割構成されている。第１のハウジング及び第２のハウジングはいずれも複数個のキャビティが併設されるとともに、その上面には開口部が形成されている。この開口部は、端子金具を前記キャビティに組み付けた後にその端子金具に電線を圧接させる圧接用の開口であり、第１のハウジングの開口部を第２のハウジングで覆い、第２のハウジングの開口部をカバー部によって閉止するようになっている。
【特許文献１】特開平１１−２０４１８６号公報
【特許文献２】特開平１０−７９２７３号公報
【発明の開示】
【発明が解決しようとする課題】
【０００４】
上記構造によれば、コネクタハウジング（複数個に分割されている場合には各構成部品）はその厚みに比べて横幅が長くなっており剛性の低下が懸念され、改良の余地があった。
本発明は上記のような事情に基づいて完成されたものであって、コネクタハウジングの低背化を担保した上で、剛性が保持されるコネクタハウジングを提供することを目的とする。
【課題を解決するための手段】
【０００５】
上記の目的を達成するための手段として、請求項１の発明は、内部に幅方向に併設された複数のキャビティを有するとともに各キャビティを外部に露出させるように一面が開放し、各キャビティに開放側の面より端子金具を収容可能なハウジング本体と、前記開放側の面を閉止するように前記ハウジング本体に組み付け可能とされたカバー部とを備えたコネクタであって、前記カバー部には、当該コネクタの嵌合相手となる相手側ハウジングに係止可能とされたロックアームが形成されるとともに、前記ハウジング本体のうち前記ロックアームに対向する位置には、前記キャビティが形成される高さ範囲内に、前記ロックアームに対する撓み空間を有する撓み許容部が配されており、更に、この撓み許容部における後端部であって前記ロックアームとの干渉を避けた位置には、補強片が設けられた構成であるところに特徴を有する。
【０００６】
請求項２の発明は、請求項１に記載のものにおいて、前記補強片は前記撓み許容部の両側に位置するキャビティの壁面同士間を繋ぐ構成であるところに特徴を有する。
【０００７】
請求項３の発明は、請求項１に記載のものにおいて、前記補強片は前記ハウジング本体に対して係止することで前記ハウジング本体に対する前記カバー部の接離方向への遊動を規制可能な構成であるところに特徴を有する。
【０００８】
請求項４の発明は、ハウジング内部には端子金具を収容可能なキャビティが形成されるとともに、相手側ハウジングに設けられたフード部に対し、前記ハウジングの一部を後方に張り出させた状態で取り付けられるコネクタであって、前記ハウジングの側面のうち前記フード部から後方へ突出した部分の外面には、同面に沿って当該突出部の後端側から前記フード部に向かって斜めに伸びる複数の補強壁が設けられるととに、これら各補強壁はその伸び方向が隣合う補強壁の端部同士を一致させるか、或いは途中で交差させる方向であることに特徴を有する。
【発明の効果】
【０００９】
＜請求項１の発明＞
請求項１の発明によれば、ハウジング本体の撓み許容部には補強片が形成されているから、当該部分における強度の低下が抑制される。また、補強片はロックアームの撓み空間を避けた位置に設けられているから、コネクタのロック動作に支障を来すこともなく、従って、コネクタの低背化の妨げとならない。
＜請求項２の発明＞
請求項２の発明によれば、キャビティ同士が補強片によって繋がれるから、ハウジング本体を効果的に剛性アップできる。
【００１０】
＜請求項３の発明＞
請求項３の発明によれば、ハウジング本体に対するカバー部の浮き上がるような変形が防止される。従って、ハウジング本体に対するカバー部の密着度が増し、ハウジング全体としての剛性が高まる。
＜請求項４の発明＞
請求項４の発明によれば、補強壁は隣合うもの同士が交差する構成であるからねじれに対する補強として有効である。また、補強壁はフード部から張り出した部分に設けられているから両ハウジングの嵌合動作に支障を来すことがない。
【発明を実施するための最良の形態】
【００１１】
＜実施形態１＞
本発明の実施形態１を図１ないし図１０によって説明する。
本実施形態のコネクタは互いに嵌合可能な雄ハウジング（本発明の相手側ハウジングに相当）２０と雌ハウジング４０とからなり両ハウジング２０、４０を嵌合させると雌ハウジング４０に形成されたロックアーム６５が雄ハウジング２０に形成されたロック受け部２７に係止して両ハウジング２０、４０が嵌合状態に保持されるようになっている。尚、以下の説明において両ハウジング２０、４０の嵌合される面側を前側とする。
【００１２】
雄ハウジング２０は合成樹脂製であって、内部には横長角筒状をなすとともに、前方から雌ハウジング４０を嵌合可能とされたフード部２１が形成されている。フード部２１の奥端面２２には、複数の端子取付孔（図示せず）が前後に貫通して形成されている。各端子取付孔は横方向に所定ピッチで並んで上下２段設けられるとともに、そこには、タブ３５をフード部２１に突出させた状態で雄端子金具３０が取り付けられている。このタブ３５はフード部２１に嵌合される雌ハウジング４０の備える雌端子金具１００に電気的に接続されるようになっている。また、フード部２１の天井面２４の中央部分には、雌ハウジング４０のロックアーム６５に対して係止可能なロック受け部２７が下向きに突設されている。尚、図示していないが、雄ハウジング２０は回路基板（図示せず）の上面に取り付けられるようになっている。
【００１３】
雌ハウジング４０は合成樹脂製のカバー（本発明のカバー部に相当する）５０と、同じく合成樹脂製の上段ハウジング（本発明のハウジング本体に相当する）７０と、合成樹脂製の下段ハウジング（本発明のハウジング本体に相当する）９０とを上から順に重ねた状態で組み付けられて構成されている。
【００１４】
下段ハウジング９０は、全体として左右方向（幅方向）に長く水平な方形平板状をなす。下段ハウジング９０には前後に細長い下段キャビティ９１がハウジングの幅方向（左右方向）に一定のピッチで複数個並設されている。下段ハウジング９０の上面は、各下段キャビティ９１を外部に露出させるように開口している。この開口側の面からは各下段キャビティ９１内に収容された端子金具１００に対して電線１０５を圧接治具Ｓによって圧接することが出来るようになっている。尚、圧接治具Ｓは図１０に示すように、下段ハウジング９０の下面側を受ける受け治具Ｓ１と、電線１０５を端子金具１００の備える圧接歯１０３に押しつけて電線１０５を端子金具１００に圧接させる押圧治具Ｓ２とからなる。
【００１５】
各下段キャビティ９１の前面壁９１ａには、雄ハウジング２０のタブ３５を挿入させるためのタブ挿入口９１ｂが前後に貫通して形成されている。また、各下段キャビティ９１の後端部には圧接済みの電線１０５が上方へ離脱するのを規制する手段として、下段キャビティ９１間を仕切る各隔壁９８から内側へ突出させた係止突起９１ｃが形成されている。
また、下段ハウジング９０の下面には、その後端縁に沿って左右方向に延びる補強用のフランジ片９９が、下段ハウジング９０の左右両端部を除く広い領域に亘って連続して形成されている。
【００１６】
下段ハウジング９０の左右両外壁９２の前部側には、上面側を切欠した形態の下段凹部９４が形成されている。この下段凹部９４は、前後方向に長く且つ外壁９２の外側面に開放された形態をなす。
【００１７】
上段ハウジング７０は、全体として左右方向（幅方向）に長く水平な方形平板状をなす。上段ハウジング７０には前後方向に細長い上段キャビティ７１が左右対称な２群に分かれて一定のピッチで複数個並設されている。上段ハウジング７０の上面は、各上段キャビティ７１を外部に露出させるように開口している。この開口側の面からは各上段キャビティ７１内に収容された端子金具１００に対して電線１０５を圧接治具Ｓによって圧接することが出来るようになっている。
【００１８】
各上段キャビティ７１の前面壁７１ａには、雄ハウジング２０のタブ３５を挿入させるためのタブ挿入口７１ｂが貫通して形成されている。また、各上段キャビティ７１の後端部には、圧接済みの電線１０５が上方へ離脱するのを規制する手段として、上段キャビティ７１間を各仕切る隔壁７８から内側へ突出させた係止突起７１ｃが形成されている。
【００１９】
また、上段ハウジング７０上面の中央部であって、後述するカバー５０のロックアーム収容部６１と対面する位置には、上段キャビティ７１が形成される高さ範囲内にロックアーム収容部６１に対する干渉を回避（ロックアーム６５の撓み空間を確保）するための撓み許容部８０が配されている。この撓み許容部８０は前側は開放して形成されるが、後端縁には後述する補強片８１が幅方向（左右に）に設けられている。
【００２０】
上段ハウジング７０の下面には、前後方向に細長い複数の下段用押さえ突起７６が、幅方向に一定ピッチで並列する形態で形成されている。この下段用押さえ突起７６と下段ハウジング９０の下段キャビティ９１とは幅方向において対応しており、上段ハウジング７０の下面側に下段ハウジング９０を組み付けた状態では、上段ハウジング７０の下段用押さえ突起７６が下段キャビティ９１の内部に入り込み、端子金具１００の前端部の浮き上がりを規制するようになっている。
【００２１】
左右両外壁７２における前方上部には、上面側を切欠した形態の上段凹部７４が形成されている。この上段凹部７４は、前後方向に長く且つ外壁７２の外側面に開放された形態をなす。
また、外壁７２における前方下部には、その下面から下方へ前後方向に細長いリブ状に突出する第２位置決め突起７５が形成されている。この第２位置決め突起７５は下段ハウジング９０の下段凹部９４と対応した位置に設けられており、上段ハウジング７０の下面側に下段ハウジング９０を組み付けた状態においては、上段ハウジング７０の第２位置決め突起７５が下段凹部９４に嵌合されることで、上段ハウジング７０と下段ハウジング９０の前後方向における位置ずれが規制されるようになっている。
【００２２】
図５に示すように、カバー５０は全体として左右方向（幅方向）に長く水平な方形平板状をなし、上段ハウジング７０の開放側の面（上面）を閉止可能とされている。カバー５０の左右両側縁には、その後端部から下方へ略直角に板状に延出する保持片５３が形成され、これらの保持片５３の内面には上下２つの保持溝５４、５５が形成されている。一方、上段ハウジング７０の左右両外壁７２並びに下段ハウジング９０の左右両外壁９２には、その後端部領域から外側方へ突出する上段保持突起７３並びに下段保持突起９３が形成されており、両ハウジング７０、９０を上下に重ねた状態でカバー５０を組み付けると、両保持突起７３、９３がカバー５０の各保持溝５４、５５に嵌合することで、両ハウジング７０、９０に対するカバー５０の上下方向への離脱が規制されるようになっている。
【００２３】
加えて、カバー５０の左右両側縁における前方下部には、その下面から下方へ前後方向に細長いリブ状に突出する第１位置決め突起５６が形成されている。この第１位置決め突起５６は上段ハウジング７０の上段凹部７４と対応した位置に設けられており、カバー５０の下面側に上段ハウジング７０を組み付けた状態においては、カバー５０の第１位置決め突起５６が上段凹部７４に嵌合されることで、上段ハウジング７０と下段ハウジング９０の前後方向における位置ずれが規制されるようになっている。
【００２４】
また、カバー５０の下面には前後方向に細長い複数の上段用押さえ突起５１が、左右対称な２群に分かれるとともに各群毎に一定のピッチで並列する形態で形成されている（図７参照）。これらの上段用押さえ突起５１は、前後方向において上段ハウジング７０の上段キャビティ７１と対応しており、カバー５０の下面側に上段ハウジング７０を組み付けた状態では、カバー５０の上段用押さえ突起５１が上段ハウジング７０の上段キャビティ７１の内部に入り込み、端子金具１００の浮き上がりを規制するようになっている
【００２５】
次に、カバー５０の上面には、雄ハウジング２０に対する雌ハウジング４０の嵌合動作を案内するとともにカバー５０の補強を行うためのガイドリブ５８と、ロックアーム６５がそれぞれ形成されている。まず、ガイドリブ５８は雌ハウジング４０の前端部を除いた全長に亘って形成されるとともに、雌ハウジング４０の上面の左右両側に一対と、それよりやや内側に各一対設けられている。一方、雄ハウジング２０のフード部２１の天井面２４であって、ガイドリブ５８と対面する位置には、両ハウジング２０、４０の嵌合方向に沿ってガイドリブ５８を挿通可能な案内溝２６が形成されており、リブと溝の嵌め合いによって両ハウジング２０、４０の嵌合動作が案内されるようになっている。
【００２６】
カバー５０の上面であって幅方向の中央部分には、両ハウジング２０、４０の嵌合方向に沿ってロックアーム６５を収容するためのロックアーム収容部６１が形成されている。このロックアーム収容部６１は上段ハウジング７０側に突出して形成されるとともに、図８に示すように、組み付け状態では、その下方側へ突出した底面部分が上段ハウジング７０に設けられる撓み許容部８０に対して丁度収容されるようになっている。
【００２７】
ロックアーム６５はロックアーム収容部６１の底面における前端縁から立ち上がると共に、後方へ片持ち状に延出した形態をなす。ロックアーム６５はロックアーム収容部６１の底面６１ａとの間に撓み空間６８を保有しており、前端の支持部６３を支点として上下方向へ弾性撓みすることが可能となっている。
ロックアーム６５の上面であって、前後方向に関する中央部分にはロック突部６６が形成されている。ロック突部６６の後面は、ロックアーム６５の上面に対して直角な係止面６６ａとなっており、両ハウジング２０、４０が嵌合した時には、図４に示すように、ロック受け部２７を通過することに伴って撓み空間内へ撓み変位し通過後に復帰する。これにより、ロック突部６６の係止面６６ａの後方に雄ハウジング２０のロック受け部２７が対面して位置することでフード部２１に対し雌ハウジング４０の抜止が図られる。
また、ロック突部６６の前面は勾配６６ｂを持って形成されているが、これは雌ハウジング４０に対する挿入動作を円滑にするための案内である。
【００２８】
ところで、図３及び図６に示すように、撓み許容部８０の後端縁には補強片８１が起立形成される一方、ロックアーム収容部６１の後端縁であって補強片８１と対応する位置には補強片８１に対するにがし溝６１ｂが形成されている。
この補強片８１は左右のキャビティ７１の側壁７１ｄ同士を架設するとともに、ロックアーム６５の撓み空間６８を避けた配置、すなわちロックアーム６５の後端６５Ｒの回動動作（軌跡）が補強片８１よりも奥側で行われる設定としてある。
【００２９】
撓み許容部８０はその大半が平坦な形状であるためキャビティ７１が形成された部分に比べて剛性の低下が懸念されるところであるが、前記したように縦壁（補強片８１）を設けておけば当該部分の剛性が高めることが出来、キャビティ７１側との剛性のバランス（キャビティ７１には縦壁として前面壁７１ａが設けられている）がとれる。また、補強片８１は左右のキャビティ７１の側壁７１ｄ同士を架設する構成であるから効果的に剛性がアップできる。
【００３０】
また、カバー５０の上面の後端における左右両側にはフランジ片５７が起立形成されるとともに、これら両フランジ片５７同士がロックアーム６５の後端部分をアーチ状をなして取り囲む保護壁６４によって繋がれている。このようにロックアーム６５の後端部分を保護壁６４によって覆う構成とすることで、ロックアーム６５を保護するとともに両ハウジング２０、４０がロック状態にあるときにロックアーム６５が偶発的に押されてロックが解除しないようにしてある。
【００３１】
また、本実施形態においてはコネクタの小型化の要請もあって、保護壁６４は極力小さく設定されており、内部に指先が入らないようになっている。そのため、図３に示すようにロックアーム６５の上面と保護壁６４の内面との間に、解除用の隙間６９を設けており、この隙間６９に棒状の解除治具を水平にこじらせることなく挿入させることによって、ロックアーム６５をロック解除方向に撓み変形させ、これにより、ロックが解除されるようになっている。
【００３２】
ただし、先にも述べたように、ロックアーム６５の後端６５Ｒの回動規制が補強片８１よりも奥側で行われる設定としてあるから、この際に行われるロック解除動作中に、ロックアーム６５と補強片８１とが干渉等を起こして、当該ロック解除動作に支障を来すことがないような設定となっており、コネクタの低背化等の要請に応えるものとなっている。
【００３３】
このように本実施形態によれば、雌ハウジング４０がカバー５０と上下両段ハウジング７０、９０とから分割構成されているから、これら各パーツが一体に構成されている場合に比べて部品の剛性が低下する。特に、上段ハウジング７０にはカバー５０に設けられたロックアーム収容部６１との干渉を回避するための撓み許容部８０を設けており、その部分での剛性の低下が特に懸念されるが、そこには補強片８１が設けられているから、当該部分における剛性の低下を回避することが出来る。
【００３４】
＜実施形態２＞
次に、本発明の実施形態２を図１１ないし図１２によって説明する。
実施形態２は、撓み許容部８０に設けた補強片８５をロックアーム収容部６１に対して係止させる構成としたものであり、その他の構成については実施形態１と同様であるため同一の部品には同一の符号を付し、重複する説明を省略するものとする。
【００３５】
図１１に示すように、撓み許容部８０の後端縁であって、幅方向の中央部分には補強片８５が設けられる一方、ロックアーム収容部６１の後端縁であって、前記補強片８５と対応した位置には、前記補強片８５に対する逃がし凹部１１０が形成されている。図１２に示すように、補強片８５の上部並びに、逃がし凹部１１０の周縁部うち補強片８５と対面する部分には、それぞれ向かい合うようにしてロック突部８６、１１１が突設されている。同図に示すように組み付け状態においては、補強片８５側のロック突部８６が逃がし凹部１１０側のロック突部１１１の上面に係止するようになっている。これにより、上段ハウジング７０に対するカバー５０の浮き上がるような変形が防止される。従って、各ハウジング７０、９０に対するカバー５０の密着度が増し、ハウジング全体としての剛性が高まる。
【００３６】
また、実施形態２においても、ロックアーム６５の後端６５Ｒの回動動作（軌跡）が両ロック突部８６、１１１よりも奥側で行われるような設定とされている。従って、ロックアーム６５の回動動作中に、ロックアーム６５が両ロック突部８６、１１１に干渉して当該両ロック突部８６、１１１の係止を解くことがない設定となっている。
【００３７】
＜実施形態３＞
次に、本発明に実施形態３を図１３ないし図１７によって説明する。
実施形態１及び実施形態２においては、撓み許容部８０に補強片８１、８５を設けて上段ハウジング７０の剛性アップを図ったが、実施形態３においてはカバー５０の上面及び下段ハウジング９０の下面に断面長方形状の補強壁１３０及び１４０を設けて、カバー５０並びに下段ハウジング９０の剛性アップを図ったものである。その他の構成については実施形態１と同様であるため同一の部品には同一の符号を付し、重複する説明を省略するものとする。
【００３８】
図１４に示すように両ハウジング２０、４０が嵌合状態にあるとき、雌ハウジング４０の後部が雄ハウジング２０のフード部２１から後方に張り出した状態にあるが、その突出部１２０の外面、すなわちカバー５０の上面には同面に沿って当該突出部１２０の後端側（同図の上側）から前記フード部２１に向かって斜めに伸びる複数の補強壁１３０が設けられている。補強壁１３０はカバー５０の上面からの張り出し高さがガイドリブ５８の張り出し高さと等しい設定とされるとともに、全体としてはジグザグ状をなしており、各補強壁１３０の伸び方向は両ハウジング２０、４０の嵌合方向に対してほぼ４５度の角度とされている。
このようなジグザグ状である構成が、本発明の各補強壁はその伸び方向が隣合う補強壁１３０の端部同士を一致させる方向であるという構成に相当するものである。
【００３９】
また、補強壁１３０はロックアーム６５の左右両側において左右対称な構成とされており、各側の補強壁１３０はカバー５０の左右両縁に形成されるガイドリブ５８の後端を始点とし、保護壁６４の側壁に至る構成となっている。また、補強壁１３０は各領域（ロックアーム６５の左側及び右側）のうち後端縁側には、頂点が３箇所設けられ、このうち中央の頂点と内側に位置するガイドリブ５８の端部同士が丁度重なるような配置とされている。
また、各領域のうちフード部２１側には、頂点が２箇所設けられるようになっており、これら各頂点は、図１４に示すように両ハウジング２０、４０が嵌合した状態に有るときには、カバー５０の前端面と僅かな隙間を持って対面するとともに、高さ方向においては雄ハウジング２０の外面より内側にあって、補強壁１３０の外形が雄ハウジング２０の外形から飛び出さないようになっている。
【００４０】
上記のようにカバー５０側の突出部１２０には、ジグザグ状に補強壁１３０が設けられているから、突出部１２０の全体が均等に補強されることとなるし、実施形態１或いは２のようにハウジング４０の後端縁にフランジ片（補強壁）５７を直線的に設ける場合（図２参照）に比べてねじれにも強くなる。
また、図１７は下段キャビティ９１の下面図であるが、下段キャビティ９１の下面の突出部１２０にもカバー５０に設けられた補強壁１３０と同様の補強壁１４０が設けられている。
【００４１】
＜参考例＞
実施形態３においてはカバー５０及び下段ハウジング９０の補強を行うのに、複数の補強壁１３０、１４０をジグザグ状（隣合う各補強壁１３０或いは１４０の端部同士が交差するように）に連ねたが、図２２或いは図２３に示すように、補強壁を直線的な構成とした場合であっても、そこに複数の孔１５０を間欠的に設ける構成としてやれば、孔が設けられていない場合と比較して剛性のアップを図ることが出来る。
【００４２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４３】
（１）実施形態３においては、補強壁の断面形状を略長方形としたが、隣合う補強壁の端部が交差するものであれば、断面形状について特に制約はなく、例えば、断面がＴ字状をなすもの（図１８、図１９参照、補強壁１４５）、或いは断面がＬ字状をなすもの（図２０、図２１参照、補強壁１４６）であってもよい。
【００４４】
（２）実施形態１及び２においては、補強片８１を雌ハウジング側に設けたが、例えば雄ハウジング２０側が分割タイプのものであれば、雄ハウジング側に適用してもよい。
【図面の簡単な説明】
【００４５】
【図１】本発明の実施形態１に係るコネクタの斜視図
【図２】コネクタの嵌合状態を示す平面図
【図３】コネクタの嵌合前の状態を表す断面図
【図４】コネクタが嵌合した状態を表す断面図
【図５】雄ハウジングの正面図
【図６】雌ハウジングの分解斜視図
【図７】カバー、上段ハウジング、下段ハウジングの正面図
【図８】雌ハウジングの正面図
【図９】カバーの平面図
【図１０】電線の圧接動作を示す図
【図１１】実施形態２におけるカバー並びに上段ハウジングの斜視図
【図１２】カバー並びに上段ハウジングの断面図（組み付け状態を示す）
【図１３】実施形態３における雌ハウジングの分解斜視図
【図１４】コネクタの嵌合状態を示す平面図
【図１５】カバーの平面図
【図１６】カバーの一部切り欠き側面図
【図１７】下段カバーの下面図
【図１８】他の実施形態におけるカバーの斜視図
【図１９】その断面図（断面Ｔ字状）
【図２０】他の実施形態におけるカバーの平面図
【図２１】その断面図（断面Ｌ字状）
【図２２】参考例の斜視図
【図２３】参考例の断面図
【符号の説明】
【００４６】
４０…雌ハウジング
５０…カバー（カバー部）
６５…ロックアーム
７０…上段ハウジング（ハウジング本体）
８０…撓み許容部
８１…補強片
９０…下段ハウジング（ハウジング本体）
【図１】
2005174817.tif 000003
【図２】
2005174817.tif 000004
【図３】
2005174817.tif 000005
【図４】
2005174817.tif 000006
【図５】
2005174817.tif 000007
【図６】
2005174817.tif 000008
【図７】
2005174817.tif 000009
【図８】
2005174817.tif 000010
【図９】
2005174817.tif 000011
【図１０】
2005174817.tif 000012
【図１１】
2005174817.tif 000013
【図１２】
2005174817.tif 000014
【図１３】
2005174817.tif 000015
【図１４】
2005174817.tif 000016
【図１５】
2005174817.tif 000017
【図１６】
2005174817.tif 000018
【図１７】
2005174817.tif 000019
【図１８】
2005174817.tif 000020
【図１９】
2005174817.tif 000021
【図２０】
2005174817.tif 000022
【図２１】
2005174817.tif 000023
【図２２】
2005174817.tif 000024
【図２３】
2005174817.tif 000025